(57)【要約】【課題】この考案は、書籍の表紙内にＣＤ，ＣＤ−ＲＯＭ，ＤＶＤ−Ｖｉｄｅｏ，ＤＶＤ−ＲＯＭ等の円盤状記憶媒体を収納するためのプラスチック製の収納ホルダを備えた書籍に関する。【解決手段】中央部に背紙２１Ｂを有する表，裏板紙２１Ａ，２１Ｃからなる表紙２１の内面に、表，裏見返し部の片面と同様な仕様となる化粧紙２４を全面に糊付け接着したのち、書籍部２７と、記憶媒体収納ホルダ２９とを、厚さ方向に重ねて収容し、前記書籍部２７の基部を前記表紙２１の化粧紙２４が貼り付けられた背紙２１Ｂ内面に装着し、前記収納ホルダ２９の内側に介在させた表扉紙２５の基部を前記背紙２１Ｂの内面に接着させた後、前記表扉紙２５の基部に設けた延長折返し部２５ｂの内面部を巻き廻して前記収納ホルダ２９の基部外面２９ａに接着し、かつ前記折返し部の外面基部を背紙に接着して前記収納ホルダ２９を前記表扉紙２５の基部に取り付けると共に、前記裏板紙内面と対向する前記書籍部２７との間には見返し部を兼ねる裏扉紙２６を配設して該裏扉紙の基部を前記裏板紙内面および前記書籍部の基部に接着した。【選択図】図３
0003108148.tif 000002
【実用新案登録請求の範囲】
【請求項１】
中央部に背紙を有する表，裏板紙からなる表紙の内面に、表，裏見返し部の片面と同様な仕様となる化粧紙を全面に糊付け接着したのち、書籍部と、記憶媒体収納ホルダとを、厚さ方向に重ねて収容し、前記書籍部の各頁の基部を前記表紙の化粧紙が貼り付けられた背紙内面に装着し、前記収納ホルダの内側に介在させた表扉紙の基部を前記背紙の内面に接着させた後、前記表扉紙の基部に設けた延長折返し部の内面部を巻き廻して前記収納ホルダの基部外面に接着し、かつ前記折返し部の外面基部を背紙に接着して前記収納ホルダを前記表扉紙の基部に取り付けると共に、前記裏板紙内面と対向する前記書籍部との間には見返し部を兼ねる裏扉紙を配設して該裏扉紙の基部を前記裏板紙内面および前記書籍部の基部に接着したことを特徴とするＣＤ等の記憶媒体収納ホルダ付き書籍。
【請求項２】
前記記憶媒体収納ホルダは、開閉可能なプラスチック製の容器からなり、容器内部に記憶媒体となるＣＤ等を着脱可能に装着する保持部を有するものであることを特徴とする請求項１に記載のＣＤ等の記憶媒体収納ホルダ付き書籍。
【請求項３】
前記記憶媒体は、円盤状のＣＤ，ＣＤ−ＲＯＭ，ＤＶＤ−Ｖｉｄｅｏ，ＤＶＤ−ＲＯＭから選ばれたものであることを特徴とする請求項１又は請求項２の記載のＣＤ等の記憶媒体収納ホルダ付き書籍。
【考案の詳細な説明】
【技術分野】
【０００１】
この考案は、書籍の表紙内にＣＤ，ＣＤ−ＲＯＭ，ＤＶＤ−Ｖｉｄｅｏ，ＤＶＤ−ＲＯＭ等の円盤状記憶媒体を収納するためのプラスチック製の収納ホルダを備えた書籍に関し、特に書籍の表紙と本文書籍部との間に見返しを備える上製本の装丁時に、前記表紙内面に全面接着される見返し用紙の糊付け押圧工程における書籍全体に掛かる押圧工程を省略することで、書籍表紙内に収容される前記収納ホルダにかかる押圧力を軽減し、装丁時における前記収納ホルダの破損を防止できるようにした製本を可能としたＣＤ等の記憶媒体収納ホルダ付き書籍に関するものである。
【背景技術】
【０００２】
最近、書籍内容に関連する映像等をＣＤ等の記憶媒体に記憶させて、このＣＤ等を書籍に添付或いは綴じ込んで販売する形式の販売方法が採用されている。
そして、ＣＤ等を書籍に綴じ込む形式としては、ＣＤ等を収納するために厚紙を積層して形成した収納ホルダ或いは袋状の収納ホルダを用い、この収納ホルダを硬質の表紙内に書籍部の各頁と共に設けた製本があった。
【０００３】
さらに、書籍の表紙と本文書籍部との間に見返し用紙を備える上製本に、前記収納ホルダを備えた書籍としては、収納ホルダの綴じ込み形式が異なる多数の書籍が販売に供されている。例えば、本願出願人が先に提供した実用新案登録第３０７７０７３号がある。
【特許文献１】登録実用新案第３０７７０７３号
【考案の開示】
【考案が解決しようとする課題】
【０００４】
前述したような上製本に装丁される書籍にあっては、図１に示すように、書籍１０の表紙１１と本文書籍部１２との間に見返し用紙１３ａ，１３ｂを備えており、装丁時にあっては、表，裏板紙１１Ａ，１１Ｂからなる表紙１１の裏面側中央部分となる背表紙１１Ｃ部に、Ｖ字状に折り曲げて２葉とした表見返し用紙１３Ａと、ＣＤ等を収納するために厚紙を積層して形成した収納ホルダ１５と、前記収納ホルダ１５の背面側の一部を巻き込んで接着した扉紙１６と、書籍部１２の一側背面基部１２ａを糊付けして結合した本文書籍部１２と、Ｖ字状に折り曲げて２葉とした裏見返し用紙１３Ｂとを順に配設し、前記表見返し用紙１３ａのＶ字状に折り曲げた表板紙１１Ａおよび前記収納ホルダ１５面と対向する両面１３ｃ，１３ｄを全面糊付けして接着し、次に前記収納ホルダ１５の内面側に配設した表扉紙１６の背部側基部と本文書籍部１２の前面側の基部を接着する。  
【０００５】
さらに、前記裏板紙１１Ｂの内面部に配設したＶ字状に折り曲げて２葉とした裏見返し用紙１３ｂの前記裏板紙１１Ｂ面と、これに対向する片面１３ｅに全面糊付けして接着すると共に、もう一方の片面と対向する本文書籍部１２の後部側の基部とを接着して収納ホルダ付きの上製本を装丁している。
【０００６】
ところで、前記のように表，裏板紙１１Ａ，１１Ｂの裏面側と表，裏見返し用紙１３ａ，１３ｂとを糊付けする場合には、押圧機械を用いて書籍全体を押し付け接着するようにしているため、製本時に書籍全体にかなりの押圧力が掛かり、収納ホルダ１５内に装填したＣＤ等の記憶媒体１７が破損される場合がある。したがって、上述の収納ホルダ１５では、製本時には製本を完成させてから収納ホルダ１５内に記憶媒体であるＣＤ等を装填する別工程の作業をしているために、納期の調整が困難になると共に作業に手間が掛かるという問題点があった。
【０００７】
また、製本内部にプラスチック製の収納ホルダを積層して構成するプラスチック製の収納ホルダである場合は、押圧機械の押圧力によってつぶれなどの破損が生じ、これまで、上製本における収納ホルダはプラスチック製のホルダが不適当とされて、厚紙を積層して形成した収納ホルダが一般的に使用されている現状にある。
【０００８】
本考案は、書籍の表紙内にＣＤ，ＣＤ−ＲＯＭ，ＤＶＤ−Ｖｉｄｅｏ，ＤＶＤ−ＲＯＭ等の円盤状記憶媒体を収納するためのプラスチック製の収納ホルダを備えた書籍に関し、特に書籍の表紙と本文書籍部との間に見返し用紙を備える上製本の装丁時に、前記収納ホルダにかかる押圧力を軽減して、装丁時に前記収納ホルダの破損を防止できるようにした製本を可能としたＣＤ等の記憶媒体収納ホルダ付き書籍を提供することを目的とする。
【課題を解決するための手段】
【０００９】
請求項１に記載のＣＤ等の記憶媒体収納ホルダ付き書籍は、  中央部に背紙を有する表，裏板紙からなる表紙の内面に、表，裏見返し部の片面と同様な仕様となる化粧紙を全面に糊付け接着したのち、書籍部と、記憶媒体収納ホルダとを、厚さ方向に重ねて収容し、前記書籍部の各頁の基部を前記表紙の化粧紙が貼り付けられた背紙内面に装着し、前記収納ホルダの内側に介在させた表扉紙の基部を前記背紙の内面に接着させた後、前記表扉紙の基部に設けた延長折返し部の内面部を巻き廻して前記収納ホルダの基部外面に接着し、かつ前記折返し部の外面基部を背紙に接着して前記収納ホルダを前記表扉紙の基部に取り付けると共に、前記裏板紙内面と対向する前記書籍部との間には見返し部を兼ねる裏扉紙を配設して該裏扉紙の基部を前記裏板紙内面および前記書籍部の基部に接着したことを特徴とする。
【００１０】
請求項２の考案は、前記請求項１に記載したＣＤ等の記憶媒体収納ホルダ付き書籍において、前記記憶媒体収納ホルダは、開閉可能なプラスチック製の容器からなり、容器内部に記憶媒体となるＣＤ等が着脱可能に装着可能な保持部を有するものである。
【００１１】
請求項３の考案は、前記請求項１又は２に記載したＣＤ等の記憶媒体収納ホルダ付き書籍において、前記記憶媒体は、円盤状のＣＤ，ＣＤ−ＲＯＭ，ＤＶＤ−Ｖｉｄｅｏ，ＤＶＤ−ＲＯＭから選ばれたものであることを特徴とする。
【考案の効果】
【００１２】
以上説明したように、請求項１の考案によるＣＤ等の記憶媒体収納ホルダ付き書籍は、中央部に背紙を有する表，裏板紙を備えた表紙の内面に、表，裏見返し部の片面と同様な仕様となる化粧紙を全面に糊付け接着し、書籍部と記憶媒体収納ホルダとを、厚さ方向に重ねて収容し、前記書籍部の基部を前記表紙の化粧紙が貼り付けられた背紙内面に装着し、前記収納ホルダの内側に介在させた表扉紙の基部を前記背紙の内面に接着させ、かつ前記表扉紙の基部に延長折返し部を設け、該折返し部の内面部を前記収納ホルダの基部外面に接着しかつ前記折返し部の外面基部と背紙とをそれぞれ接着して前記収納ホルダを取り付けると共に、前記裏板紙内面と対向する前記書籍部との間には見返し用紙を兼ねる裏扉紙を配設して、該裏扉紙の基部を前記裏板紙内面および前記書籍部の基部に接着した構成としたので、以下のような効果がある。
【００１３】
すなわち、書籍部の製本ラインを改善して容易に製本することができると共に、従来のように装丁時に表紙の内面に見返し用紙の片面を糊付けする必要がないので、書籍の基部のみに押圧機械を使用すればよく、書籍全体に対し押圧機械の操作を施す必要がなく、また、表紙内に配設された記憶媒体収納ホルダに対し過度な押圧力を掛けることが無いため、前記記憶媒体収納ホルダをプラスチック製の容器にした場合であっても、記憶媒体収納ホルダが破損することがない。
【００１４】
また、ＣＤ等の記憶媒体収納ホルダをプラスチック製の容器とした場合には、記憶媒体として円盤状のＣＤ，ＣＤ−ＲＯＭ，ＤＶＤ−Ｖｉｄｅｏ，またはＤＶＤ−ＲＯＭ等を複数枚収容でき用途に応じて使用し易い。
【考案を実施するための最良の形態】
【００１５】
この考案は、書籍の表紙内にＣＤ，ＣＤ−ＲＯＭ，ＤＶＤ−Ｖｉｄｅｏ，またはＤＶＤ−ＲＯＭ等の円盤状記憶媒体を収納するためのプラスチック製の収納ホルダを備えた書籍に適用し、特に書籍の表紙と本文書籍部との間に見返し用紙を備える上製本の装丁時に、前記収納ホルダにかかる押圧力を軽減して、装丁時に前記収納ホルダの破損を防止できるようにした製本を可能としたＣＤ等の記憶媒体収納ホルダ付き書籍に関するもので、以下に好適な実施例を図面を参照して詳細に説明する。
【実施例】
【００１６】
以下、この考案に係るＣＤ等の記憶媒体収納ホルダ付き書籍の一実施例につき、図２〜図４を参照して説明する。
この実施例においては、図２の（Ａ）〜（Ｃ），図３に示すように、書籍２０は硬質の表紙２１からなる上製本を示すもので、前記上製本の表紙２１は、圧縮した耳と呼ばれる溝部２２間に背紙２１Ｂを設け、溝部２２の両側に連なる表、裏板紙２１Ａ，２１Ｃを連設し、溝部２２，背紙２１Ｂ，表，裏板紙２１Ａ，２１Ｃの外面、外周端面及び内面周縁部を紙、布等のシート２３で覆い貼付けてある。
【００１７】
２４は、前記表紙２１内面に前記内面周縁部を覆うように糊付けされた化粧紙で、従来の表，裏板紙と書籍部との見返し用紙の片面に相当する部分となる。２５，２６は、本文となる書籍部２７の表，裏頁２７ａ，２７ｂに対応させて配設したもう一方の片面となる見返し用紙となる表，裏扉紙である。
【００１８】
前記表扉紙２５の前面には、僅かに柔軟性を有するポリプロピレン（ＰＰ）樹脂等のプラスチック製材料で両開き形状に形成された円盤状のＣＤ２８等の記憶媒体を収納する記憶媒体収納ホルダ２９が配設され、前記表扉紙２５の基部２５ａを前記背紙２１Ｂの上面の化粧紙２４の内面に接着させ、かつ前記表扉紙２５の基部２５ａから延長折返し部２５ｂを設け、該折返し部２５ｂの内面部を前記収納ホルダ２９の基部２９ａ外面に接着し、かつ前記折返し部２５ｂの基部２５ａの外面を化粧紙２４の背紙２１Ｂに接着して前記収納ホルダ２９を取り付ける。
【００１９】
次に、前記裏板紙２１Ｃ内面と対向する前記書籍部２７の裏頁２７ｂとの間には見返し部を兼ねる裏扉紙２６を配設して、該裏扉紙２６の基部２６ａを前記裏板紙２６内面および前記書籍部２７の基部に接着してある。
なお、表紙２１の外周に対し、前記書籍部２７、前記収納ホルダ２９の外周を均等に短くしてある。
【００２０】
また、前記記憶媒体収納ホルダ２９は、図３に示すように、矩形状の収容部と蓋部を有する両開き可能に形成されたプラスチック製の容器からなり、前記収容部の中心部にはＣＤ２８を装着する取り付け中心座３０が形成された薄厚ボックス形状をなしたものである。
【００２１】
以上のようにして構成されたこの考案によれば、前以って記憶媒体収納ホルダ２９内に円盤状のＣＤ２８等の記憶媒体を収納しておき、かつ中央部に背紙２１Ｂを有する表，裏板紙２１Ａ，２１Ｃからなる表紙２１の内面に、表，裏見返し部の片面と同様な仕様となる化粧紙２４を全面に糊付け接着したのち、書籍部２７と、前記書籍部２７の表，裏頁２７ａ，２７ｂに対応させて配設したもう一方の片面となる見返し用紙となる表，裏扉紙２５，２６と記憶媒体収納ホルダ２９とを、厚さ方向に重ねて収容し、前記書籍部２７の基部、及び表扉紙２５の基部を化粧紙が貼り付けられた背紙２１Ｂ面に接着し、最後に書籍の溝部２２を圧縮工程にかけることで、製本が完成する。
【００２２】
したがって、書籍の製本作成時に、前記表紙２１内に本文等を印刷した書籍部２７と、表，裏板紙２１Ａ，２１Ｃ間に介在させた表，裏扉紙２５，２６、円盤状のＣＤ２８等の記憶媒体を収納する記憶媒体収納ホルダ２９及び見返しを有する書籍が同時に製本可能となる。なお、前記記憶媒体収納ホルダ２９内に収納した円盤状のＣＤ２８等の記憶媒体の取出し、収納には、前記ホルダ２９を両開きによって開放してＣＤ等の記憶媒体を取り出したり、収納したりすることができる。これまでＣＤ等の記憶媒体の収納不可能な正寸サイズ（本文１２８mm×１８８mm）の上製本に対しても収納ホルダ２９の使用が実現可能となった。
【００２３】
この考案において、前述した書籍では、左側が背側になって開くので、横書きの書籍に好適し、図示省略した右側が背側になって開くようにすると縦書きの書籍に好適する。
【００２４】
なお、表紙２１と書籍部２７との間に見返しを介在させることは、書籍の厚さが厚い場合に表紙２１の反り，歪み等の変形に対処する意味で一般の製本には欠くことのできない製本加工である。
【図面の簡単な説明】
【００２５】
【図１】従来の書籍部とＣＤ等の記憶媒体収納ホルダとを重ねて表紙内に装着した断面図。
【図２】本考案のＣＤ等の記憶媒体収納ホルダ付き書籍の実施例を示すもので、（Ａ）は表紙の内面側平面図、（Ｂ）は表紙の内面側に糊付けされる化粧紙の平面図、（Ｃ）は表紙の内面側全部に化粧紙を糊付けした表紙の内面側平面図。
【図３】本考案のＣＤ等の記憶媒体収納ホルダ付き書籍の実施例を示すもので、書籍の製本状態を示す斜視図。
【図４】この考案のＣＤ等の記憶媒体収納ホルダ付き書籍（上製本）を示す全体斜視図。
【符号の説明】
【００２６】
２１      表紙
２２      溝部
２１Ｂ    背紙
２１Ａ，２１Ｃ    表，裏板紙
２５，２６        表，裏扉紙
２７      書籍部
２８      ＣＤ（記憶媒体）
２９      記憶媒体収納ホルダ
【図１】
0003108148.tif 000003
【図２】
0003108148.tif 000004
【図３】
0003108148.tif 000005
【図４】
0003108148.tif 000006